(57)【特許請求の範囲】
【請求項１】
主装置と、前記主装置と接続される電話機とを有し、
前記主装置は、複数の発信先の電話番号を記憶する電話番号記憶部と、
使用者の個人情報として一使用者あたり複数の指の指紋情報を記憶する指紋記憶部と、
前記主装置の全体を制御する制御部と、
を備え、
前記電話機は、
指をおいたときの圧力を検出する圧力検出部と、
入力される指紋を読み取る指紋読み取り部と、
読み取られた指紋を符号化する符号化部と、
前記電話機を制御する制御部と、
を備え、
使用者が前記電話機の前記指紋読み取り部に指をあてると、前記電話機の前記圧力検出部は指があてられたことを検出し、前記指紋読み取り部で読み取られた指紋情報は前記符号化部で符号化されて前記主装置に送られ、
前記主装置では、前記電話機より送られてきた、符号化された指紋情報を受け取り、前記主装置の前記制御部が、前記指紋記憶部に記憶されている指紋情報と比較照合し、一致した指紋情報に関連付けて登録されている電話番号を前記電話番号記憶部から取り出し該電話番号に自動発信し、ワンタッチ操作ボタンを不要とするとともに、本人確認のためのパスワード入力を不要としたボタン電話装置。
【発明の詳細な説明】
【０００１】
【発明の属する技術分野】
本発明は、ボタン電話機に関し、特に、ワンタッチ操作機能を具備したボタン電話装置に関する。
【０００２】
【従来の技術】
従来、ボタン電話装置においては、多機能化が進み、使用頻度の高い特定電話機のダイヤル番号を予めメモりに登録し、該当ボタンをワンタッチするだけで自動的にダイヤル信号を送出するワンタッチダイヤル機能を具備したものが利用されている。
【０００３】
【発明が解決しようとする課題】
しかしながら、従来のボタン電話装置においては、ワンタッチボタン操作にあたり、発信先を電話機に配置されたボタン数の範囲内でしか指定できない、という問題点を有している。
【０００４】
一方、ボタン電話装置の操作性、利便性を図るために、例えば電話機のボタン数を増やすと、操作パネルを広げなければならず、これに伴い電話機本体の価格が上昇してしまう。
【０００５】
また、発信する際に、本人確認のために、パスワード入力を求められることもあり、この場合、使用者は、面倒なボタン操作を行なわなければならない。
【０００６】
なお、例えば特開平５−１０３０６８号公報には、あらかじめメモリに使用者全員の指紋情報等の個人情報を登録し、使用の都度、指紋情報等の個人情報を検出し、指紋識別部で記憶データと照合し、使用者個人を識別し、個人毎に登録した電話番号等のデータを読み出して自動ダイヤルする多機能電話機の構成が開示されている。しかしながら、上記公報に記載された構成は、指紋の照合は、使用者個人を識別するためのものである。また、指紋照合を行う電話機として、例えば特開平６−２８４１８２号公報には、指紋登録部、指紋照合比較部、指紋一時記憶部を備え、指紋の登録、照合を行い、セキュリティ状態とセキュリティ解除状態の切換を行うようにした携帯電話機の構成が開示されている。
【０００７】
したがって本発明は、上記問題点に鑑みてなされたものであって、その目的は、発信先の選択を簡易化し、ワンタッチボタンを不要とし、コストを低減する電話装置を提供することにある。
【０００８】
【課題を解決するための手段】
前記目的を達成する本発明のボタン電話装置は、使用者の指紋情報を複数登録しておき、入力された指紋に応じて、電話番号を特定して自動発信する、ものである。
【０００９】
より詳細には、本発明は、ボタン電話装置において、複数の発信先の電話番号を記憶する電話番号記憶部と、使用者の個人情報として、使用者の複数の指の指紋情報を記憶する指紋記憶部と、を備え、使用者の指紋入力を検出し、入力された指紋情報を、予め登録された指の指紋情報のどれと一致するか照合し、一致した指紋情報に対応する電話番号に自動発信する、ことを特徴とする。
【００１０】
【発明の実施の形態】
本発明の実施の形態について説明する。本発明は、電話装置の装置内に指紋情報と電話番号情報を持ち、一個人が、複数の指紋を登録すると、それぞれの指紋に対応した、電話番号に発信できる。
【００１１】
本発明は、複数の発信先の電話番号を記憶する電話番号記憶部と、使用者の個人情報として、使用者の複数の指の指紋情報を記憶する指紋記憶部と、を備え、指紋入力を検出する圧力検出部と、入力される指紋を読み取る指紋読み取り部と、読み取られた指紋を符号化する符号化部と、を備え、前記符号化部で符号化された指紋情報を受け取り、前記指紋記憶部に記憶されている指紋情報と照合し、一致した指紋情報に関連付けて登録されている電話番号を前記電話番号記憶部から取り出し、自動ダイヤルする。
【００１２】
本発明においては、（ａ）前記圧力検出部で前記使用者の指紋入力を検出した際に、前記指紋記憶部を検索して、入力された指紋情報を、予め登録された指の指紋情報のどれと一致するか照合する処理と、
（ｂ）前記照合の結果、一致した指紋情報に対応する電話番号宛に自動発信する処理、
の前記（ａ）乃び（ｂ）の処理は、ボタン電話装置を構成するコンピュータ上でプログラムを実行することで実現される。この場合、該プログラムを記録した記録媒体（ＦＤ（フロッピーディスク）、ＣＤ−ＲＯＭ、半導体メモリ等）から該プログラムを読み出してコンピュータで実行することで、本発明を実施することができる。
【００１３】
【実施例】
本発明の実施例について図面を参照して説明する。図１は、本発明の一実施例の構成を示す図である。図１を参照すると、本発明の一実施例のボタン電話装置は、電話機１と主装置２を有する。電話機１は、使用者の指紋を読み取る指紋読み取り部３と、指をおいたときの圧力を検出する圧力検出部４と、読み取った指紋情報を符号化する符号化部５と、電話機１を制御する制御部６と、を有する。
【００１４】
また、主装置２は、発信先として予め登録されている電話番号を記憶している電話番号記憶部７と、電話機使用者が予め登録している指紋情報を記憶する指紋記憶部８と、主装置２の全体を制御する制御部９と、を有する。
【００１５】
本発明の一実施例の動作について説明する。
【００１６】
使用者の指紋情報は、指紋記憶部８に、電話番号は電話番号記憶部７に予め登録されているものとする。指紋情報と発信電話番号とは一対一に対応付けられる。
【００１７】
使用者が電話機１の指紋読み取り部３に指をあてる（押下する）と、圧力検出部４は、指があてられたことを検出する。
【００１８】
制御部６は、圧力を検出した際に、指紋読み取り部３で読み取った指紋情報を符号化して、主装置２に送る。
【００１９】
主装置２では、制御部９が送られてきた、符号化された指紋情報を、指紋記憶部８に記憶されている指紋情報と比較照合し、一致する場合には、その指紋情報に関連付けられている電話番号を、電話番号記憶部７から検索し、見つかれば発信する。
【００２０】
指紋記憶部８や電話番号記憶部７に一致する情報がない場合には、指紋入力によるワンタッチ発信できない。この場合、指紋入力をリトライするか、通常ダイヤル入力で発信が行われる。
【００２１】
本発明の一実施例においては、発信すると同時に、本人であることの確認・規制による発信可／不可の確認を行うことができる。このため、従来必要であったパスワード入力をしないと電話機が使えないとか、発信ができないなどといったことがなくなる。
【００２２】
また、指紋入力だけで、発信先を選択することができるため、操作パネルから、ワンタッチボタンをなくすことができ、電話機の簡略化を図ることができる。この結果、製造コストを低減することができる。
【００２３】
【発明の効果】
以上説明したように、本発明によれば、指紋入力だけで、発信先を選択することができるため、ワンタッチボタンをなくすことができ、製造コストを低減することができる、という効果を奏する。
【００２４】
また本発明によれば、指紋入力と同時に本人であることの確認・規制による発信可／不可の確認を行うことができ、パスワード入力等を不要とし、操作性を特段に向上する、という効果を奏する。
【図面の簡単な説明】
【図１】本発明の一実施例の構成を示す図である。
【符号の説明】
１  電話機
２  主装置
３  指紋読み取り部
４  圧力検出部
５  符号化部
６  制御部
７  電話番号記憶部
８  指紋記憶部
９  制御部
【図１】
0003655803.tif 000002